(57)【要約】【課題】動作の多様化が可能な情報保持媒体及び情報処理システムを提供する。【解決手段】情報処理システム１は、識別情報を保持する情報保持媒体２と、識別情報を読み取って、読み取った識別情報に対応して動作する情報読取装置３とを備え、情報保持媒体２は、識別情報を構成する少なくとも一つの要素２０を有する第１情報保持部２１と、識別情報を構成する少なくとも一つの要素２０を有し、第１位置と第２位置との間で移動可能な第２情報保持部２１と、を備え、第２情報保持部２１が第１位置に配置されている状態で、第１情報保持部２１の要素２０によって第１識別情報ＩＤ１が構成され、第２情報保持部２２が第２位置に配置されている状態で、第１情報保持部２１の要素２０と第２情報保持部２２の要素２０とによって第２識別情報ＩＤ２が構成される。【選択図】図１
2019097917.tif 000002
【特許請求の範囲】
【請求項１】
識別情報を保持した情報保持媒体であって、
識別情報を構成する少なくとも一つの要素を有する第１情報保持部と、
識別情報を構成する少なくとも一つの要素を有し、第１位置と第２位置との間で移動可能な第２情報保持部と、
を備え、
前記第２情報保持部が前記第１位置に配置されている状態で、前記第１情報保持部の前記要素によって第１識別情報が構成され、
前記第２情報保持部が前記第２位置に配置されている状態で、前記第１情報保持部の前記要素と前記第２情報保持部の前記要素とによって第２識別情報が構成される
情報保持媒体。
【請求項２】
請求項１において、
前記第１情報保持部の前記要素と前記第２情報保持部の前記要素は、媒体表面の情報領域に配置される突起であり、
前記第２情報保持部の前記要素は、前記第２情報保持部が前記第１位置に配置されている状態では前記媒体表面の前記情報領域に没入し、前記第２情報保持部が前記第２位置に配置されている状態では前記媒体表面の前記情報領域に突出する情報保持媒体。
【請求項３】
請求項１または請求項２において、
前記第２情報保持部は、複数の前記要素を有し、
前記第２識別情報は、前記第１情報保持部の前記要素と、前記第２情報保持部の一つ以上の前記要素によって構成される情報保持媒体。
【請求項４】
請求項２において、
前記情報保持媒体は操作部を備え、
前記第２情報保持部は、前記操作部の操作に応じて、前記第１位置と前記第２位置との間で移動される情報保持媒体。
【請求項５】
請求項４において、
前記操作部の操作に応じて外観形状が変化する情報保持媒体。
【請求項６】
請求項１において、
前記第１情報保持部の前記要素と前記第２情報保持部の前記要素は、媒体表面の情報領域に配置される突起であり、
前記第２情報保持部と前記第２情報保持部の前記要素とは、前記第２情報保持部が前記第１位置に配置されている状態では前記媒体表面の前記情報領域から外れて配置され、前記第２情報保持部が前記第２位置に配置されている状態では前記媒体表面の前記情報領域に配置される情報保持媒体。
【請求項７】
請求項６において、
前記第２情報保持部の移動に応じて外観形状が変化する情報保持媒体。
【請求項８】
請求項１から７のいずれか一項記載の前記情報保持媒体と、
前記情報保持媒体が保持する識別情報を読み取る情報読取装置と、
を備え、
前記情報読取装置は、
前記情報保持媒体が保持する識別情報を読み取る読取部と、
動作部と、
前記読取部によって読み取られた識別情報に基づいて前記動作部を動作させる制御部と、
を有する情報処理システム。
【請求項９】
請求項８において、
前記読取部は、前記情報保持媒体の前記第１情報保持部の前記要素と、前記情報保持媒体の前記第２情報保持部の前記要素と、の両方を検出する検出部を有する情報処理システム。
【請求項１０】
請求項９において、
前記読取部は、前記情報保持媒体が装着される装着部を有し、
前記情報保持媒体の前記第１情報保持部の前記要素と、前記第２情報保持部の前記要素とは、少なくとも前記情報保持媒体の前記装着部に対する装着方向に配列されており、前記情報保持媒体が前記装着部に装着される際に前記検出部を順次通過する情報処理システム。
【請求項１１】
請求項８において、
前記読取部は、前記情報保持媒体の前記第１情報保持部の前記要素を検出する第１検出部と、前記情報保持媒体の前記第２情報保持部の前記要素を検出する第２検出部とを有する情報処理システム。
【請求項１２】
請求項８から１１のいずれか一項において、
前記情報読取装置は、光及び／又は音を用いた演出を出力する演出部を前記動作部に含む玩具である情報処理システム。
【発明の詳細な説明】
【技術分野】
【０００１】
本発明は、情報保持媒体及び情報処理システムに関する。
【背景技術】
【０００２】
特許文献１に記載された情報処理システムは、識別情報を保持した情報保持媒体と、情報保持媒体が保持する識別情報を読み取る情報読取装置とを備える。情報保持媒体は略円形の板状の媒体基材を有し、識別情報は、媒体基材の表面に二次元状に配列される複数の突起の配列パターンによって構成されている。情報読取装置は、光及び／又は音声を含む演出であって、読み取った識別情報に応じた演出を出力する。
【０００３】
特許文献２に記載された動作玩具は、玩具本体と、玩具本体の取付け部に着脱可能に取り付けられる可動部材とを備える。可動部材には、第１の識別部と、第２の識別部と、第２の識別部を動作させる操作部とが設けられており、第１の識別部は、可動部材に付与された識別情報を保持している。玩具本体の取付け部には、可動部材の第１の識別部に保持された識別情報を取得する取得手段と、第２の識別部の動作に基づき可動部材のＯＮ又はＯＦＦを検知する検知手段とが設けられている。玩具本体は、可動部材がＯＮにされた際に、光及び／又は音声を含む演出であって、取得した識別情報に応じた演出を出力する。
【先行技術文献】
【特許文献】
【０００４】
【特許文献１】特開２０１５−１１５６４号公報
【特許文献２】特開２０１３−１３６３１号公報
【発明の概要】
【発明が解決しようとする課題】
【０００５】
特許文献１に記載された情報処理システムでは、一つの情報保持媒体は一つの識別情報を有するのみであり、一つの情報保持媒体に対して情報読取装置から出力される演出は変化しない。
【０００６】
特許文献２に記載された動作玩具では、可動部材は、第１の識別部と、第２の識別部とを有するが、第２の識別部は、玩具本体に演出を出力させるトリガーであって、演出を変化させる識別情報を保持したものではない。すなわち、一つの可動部材は一つの識別情報を有するのみである。
【０００７】
本発明は、動作の多様化が可能な情報保持媒体及び情報処理システムを提供することを目的とする。
【課題を解決するための手段】
【０００８】
本発明に係る情報保持媒体は、識別情報を保持した情報保持媒体であって、識別情報を構成する少なくとも一つの要素を有する第１情報保持部と、識別情報を構成する少なくとも一つの要素を有し、第１位置と第２位置との間で移動可能な第２情報保持部と、を備え、前記第２情報保持部が前記第１位置に配置されている状態で、前記第１情報保持部の前記要素によって第１識別情報が構成され、前記第２情報保持部が前記第２位置に配置されている状態で、前記第１情報保持部の前記要素と前記第２情報保持部の前記要素とによって第２識別情報が構成される。
【０００９】
また、本発明に係る情報保持媒体において、前記第１情報保持部の前記要素と前記第２情報保持部の前記要素は、媒体表面の情報領域に配置される突起であり、前記第２情報保持部の前記要素は、前記第２情報保持部が前記第１位置に配置されている状態では前記媒体表面の前記情報領域に没入し、前記第２情報保持部が前記第２位置に配置されている状態では前記媒体表面の前記情報領域に突出してもよい。
【００１０】
また、本発明に係る情報保持媒体において、前記第２情報保持部は、複数の前記要素を有し、前記第２識別情報は、前記第１情報保持部の前記要素と、前記第２情報保持部の一つ以上の前記要素によって構成されてもよい。
【００１１】
また、本発明に係る情報保持媒体において、情報保持媒体は操作部を備え、前記第２情報保持部は、前記操作部の操作に応じて、前記第１位置と前記第２位置との間で移動されてもよい。
【００１２】
また、本発明に係る情報保持媒体において、前記操作部の操作に応じて外観形状が変化してもよい。
【００１３】
また、本発明に係る情報保持媒体において、前記第１情報保持部の前記要素と前記第２情報保持部の前記要素は、媒体表面の情報領域に配置される突起であり、前記第２情報保持部と前記第２情報保持部の前記要素とは、前記第２情報保持部が前記第１位置に配置されている状態では前記媒体表面の前記情報領域から外れて配置され、前記第２情報保持部が前記第２位置に配置されている状態では前記媒体表面の前記情報領域に配置されてもよい。
【００１４】
また、本発明に係る情報保持媒体において、前記第２情報保持部の移動に応じて外観形状が変化してもよい。
【００１５】
また、本発明に係る情報処理システムは、前記情報保持媒体と、前記情報保持媒体が保持する識別情報を読み取る情報読取装置と、を備え、前記情報読取装置は、前記情報保持媒体が保持する識別情報を読み取る読取部と、動作部と、前記読取部によって読み取られた識別情報に基づいて前記動作部を動作させる制御部と、を有することを特徴とする。
【００１６】
また、本発明に係る情報処理システムにおいて、前記読取部は、前記情報保持媒体の前記第１情報保持部の前記要素と、前記情報保持媒体の前記第２情報保持部の前記要素と、の両方を検出する検出部を有してもよい。
【００１７】
また、本発明に係る情報処理システムにおいて、前記読取部は、前記情報保持媒体が装着される装着部を有し、前記情報保持媒体の前記第１情報保持部の前記要素と、前記第２情報保持部の前記要素とは、少なくとも前記情報保持媒体の前記装着部に対する装着方向に配列されており、前記情報保持媒体が前記装着部に装着される際に前記検出部を順次通過してもよい。
【００１８】
また、本発明に係る情報処理システムにおいて、前記読取部は、前記情報保持媒体の前記第１情報保持部の前記要素を検出する第１検出部と、前記情報保持媒体の前記第２情報保持部の前記要素を検出する第２検出部とを有してもよい。
【００１９】
また、本発明に係る情報処理システムにおいて、前記情報読取装置は、光及び／又は音を用いた演出を出力する演出部を前記動作部に含む玩具でもよい。
【発明の効果】
【００２０】
本発明によれば、動作の多様化が可能な情報保持媒体及び情報処理システムを提供することができる。
【図面の簡単な説明】
【００２１】
【図１】本発明の実施形態を説明するための、情報処理システムの一例の機能ブロック図である。
【図２】（Ａ）は図１の情報保持媒体の一例の斜視図であり、（Ｂ）は同図（Ａ）の破線枠IIＢで囲まれた部分の拡大図である。
【図３】（Ａ）は図２の情報保持媒体の外観形状が変化した状態の斜視図であり、（Ｂ）は同図（Ａ）の破線枠IIIＢで囲まれた部分の拡大図である。
【図４】（Ａ）は図１の情報読取装置の一例の斜視図であり、（Ｂ）は同図（Ａ）の破線枠IVＢで囲まれた部分の拡大図である。
【図５】図１の情報保持媒体の他の例の斜視図である。
【図６】図５の情報保持媒体の外観形状が変化した状態の斜視図である。
【図７】（Ａ）は図１の情報読取装置の他の例の斜視図であり、（Ｂ）は同図（Ａ）の破線枠VIIＢで囲まれた部分の拡大図である。
【発明を実施するための形態】
【００２２】
図１は、本発明の実施形態を説明するための、情報処理システムの機能ブロックを示す。
【００２３】
情報処理システム１は、識別情報を保持した情報保持媒体２と、情報保持媒体２が保持する識別情報を読み取る情報読取装置３とを備える。
【００２４】
情報読取装置３は、情報保持媒体２が保持する識別情報を読み取る読取部１０と、動作部１１と、読取部１０によって読み取られた識別情報に基づいて動作部１１を動作させる制御部１２とを有する。
【００２５】
制御部１２は、記憶媒体１４と、プロセッサ１５とを有する。記憶媒体１４は、例えばＲＯＭ（Read Only Memory）、ＲＡＭ（Random Access Memory）等であり、プロセッサ１５によって実行されるプログラムと、動作部１１の動作データとを記憶している。プロセッサ１５は、記憶媒体１４から動作データを読み出し、読み出した動作データに基づいて動作部１１を動作させる。
【００２６】
動作部１１は、本例では光及び／又は音を用いた演出を出力する演出部１３を含む。演出部１３は、例えばＬＥＤ（Light Emitting Diode）等の発光体、スピーカ等の発音体等を含んで構成される。情報読取装置３は、光及び／又は音を用いた演出を出力する玩具である。
【００２７】
情報保持媒体２は、第１識別情報ＩＤ１と第２識別情報ＩＤ２とを保持しており、第１識別情報ＩＤ１及び第２識別情報ＩＤ２のうち一方の識別情報が読取部１０によって選択的に読み取られる。
【００２８】
記憶媒体１４には、第１識別情報ＩＤ１に対応する動作データと、第２識別情報ＩＤ２に対応する動作データとが記憶されている。プロセッサ１５は、読取部１０によって読み取られた識別情報に対応する動作データに基づいて動作部１１を動作させる。第１識別情報ＩＤ１に対応する動作データに基づいた演出と、第２識別情報ＩＤ２に対応する動作データに基づいた演出とは互いに異なる。
【００２９】
図２及び図３は、情報保持媒体２の一例を示す。
【００３０】
図２及び図３に示す情報保持媒体２Ａは、識別情報を構成する少なくとも一つの要素２０を有する第１情報保持部２１と、識別情報を構成する少なくとも一つの要素２０を有する第２情報保持部２２とを備える。本例では、識別情報を構成する要素２０は、情報保持媒体２Ａの媒体表面に設定された情報領域２３に配置される突起である。
【００３１】
突起２０は、媒体表面の情報領域２３において行列状に配列され、突起２０の配列パターンによって識別情報が構成される。本例では面内のＸ方向に３個且つＹ方向に３個の行列状に突起が配列され、第２情報保持部２２は、第３行目に配置される突起群２０ｘ３のうち第２列目及び第３列目に配置される２個の突起２０を有し、第１情報保持部２１は、残る行列要素のうち適宜な行列要素に配置された複数の突起２０を有する。
【００３２】
第１情報保持部２１の突起２０は情報領域２３に突出した状態で固定されている。一方、第２情報保持部２２は第１位置と第２位置との間で移動可能であり、図２に示すように、第２情報保持部２２が第１位置に配置されている状態では、第２情報保持部２２の突起２０は媒体表面の情報領域２３に没入し、図３に示すように、第２情報保持部２２が第２位置に配置されている状態では、第２情報保持部２２の突起２０は媒体表面の情報領域２３に突出する。
【００３３】
第２情報保持部２２が第１位置に配置されている状態で、情報領域２３には、第１情報保持部２１の突起２０のみが突出し、第１情報保持部２１の突起２０によって第１識別情報ＩＤ１が構成される。一方、第２情報保持部２２が第２位置に配置されている状態で、情報領域２３には、第１情報保持部２１の突起２０に加えて第２情報保持部２２の突起２０も突出し、第１情報保持部２１の突起２０と第２情報保持部２２の突起２０とによって第２識別情報ＩＤ２が構成される。
【００３４】
情報保持媒体２Ａは、操作部２４を備え、操作部２４の操作に応じて外観形状が変化する玩具である。図２に示す状態では、情報保持媒体２Ａは飛行機を模した外観形状を呈し、操作部２４は一対の翼によって構成されている。図３に示す状態では、一対の翼を折り畳むように操作部２４が操作されており、情報保持媒体２Ａは車両を模した外観形状を呈する。そして、第２情報保持部２２は、操作部２４の操作に応じて、第１位置と第２位置との間で移動される。すなわち、情報保持媒体２Ａの外観形状の変化に応じて情報保持媒体２Ａの識別情報が変化する。
【００３５】
図４は、情報読取装置３の一例を示す。
【００３６】
図４に示す情報読取装置３Ａは、図２及び図３に示した情報保持媒体２Ａの識別情報を読み取るものである。情報読取装置３Ａは、情報保持媒体２Ａが装着される装着部３０を有し、読取部１０は装着部３０に設けられている。情報保持媒体２Ａが装着部３０に装着される際に、情報保持媒体２Ａは、装着部３０に対し、情報保持媒体２Ａの情報領域２３における突起２０の配列の列方向であるＹ方向に移動され、情報領域２３は、Ｙ方向に読取部１０上を通過する。
【００３７】
読取部１０は、情報保持媒体２Ａの第１情報保持部２１の突起２０と、第２情報保持部２２の突起２０との両方を検出する検出部３１を有し、検出部３１はスイッチ３２を含み、スイッチ３２は、情報保持媒体２Ａの情報領域２３に突出している突起２０によって押し下げ可能である。本例では、情報領域２３における突起２０の配列に対応し、検出部３１は３個のスイッチ３２を含み、３個のスイッチ３２はＸ方向に並んでいる。
【００３８】
情報保持媒体２Ａが装着部３０に装着される際に、まず、一行目の突起群２０ｘ１（図２及び図３参照）が検出部３１の３個のスイッチ３２を通過し、次いで二行目の突起群２０ｘ２（図２及び図３参照）が検出部３１の３個のスイッチ３２を通過し、最後に三行目の突起群２０ｘ３が検出部３１の３個のスイッチ３２を通過する。情報領域２３に突出している突起２０はスイッチ３２によって検出され、情報領域２３に突出している突起２０の配列パターンに基づいて識別情報が読み取られる。
【００３９】
図２に示した状態、すなわち第２情報保持部２２が第１位置にあり、第２情報保持部２２の突起２０が情報領域２３に没入している状態で、情報保持媒体２Ａが装着部３０に装着された場合に、第２情報保持部２２の突起２０は検出部３１のスイッチ３２によって検出されず、第１情報保持部２１の突起２０のみ検出部３１のスイッチ３２によって検出される。これにより、第１情報保持部２１の突起２０によって構成される第１識別情報ＩＤ１が読み取られる。本実施形態において、第２情報保持部２２が第１位置にある場合、情報保持媒体２Ａは飛行機を模した外観形状を呈しており、情報読取装置３の演出部１３から飛行機に関連した演出（例えば、飛行音を模した音声や飛行状態を表す発光演出等）を出力することができる。このように情報保持媒体２Ａの外観形状と演出部１３からの演出内容を連動させることにより、より玩具としての興趣性を高めることができる。
【００４０】
一方、図３に示した状態、すなわち第２情報保持部２２が第２位置にあり、第２情報保持部２２の突起２０が情報領域２３に突出している状態で、情報保持媒体２Ａが装着部３０に装着された場合には、第１情報保持部２１の突起２０に加え第２情報保持部２２の突起２０もまた検出部３１のスイッチ３２によって検出される。これにより、第１情報保持部２１の突起２０と第２情報保持部２２の突起２０とによって構成される第２識別情報ＩＤ２が読み取られる。本実施形態において、第２情報保持部２２が第２位置にある場合、情報保持媒体２Ａは車両を模した外観形状を呈しており、情報読取装置３の演出部１３から車両に関連した演出（例えば、車両の発信音を模した音声や走行状態を表す発光演出等）を出力することができる。このように情報保持媒体２Ａの外観形状と演出部１３からの演出内容を連動させることにより、より玩具としての興趣性を高めることができる。
【００４１】
なお、本実施形態において、第２情報保持部２２は２個の突起２０を有しており、第２識別情報ＩＤ２は、第１情報保持部２１の突起２０と、第２情報保持部２２の一つ以上の突起２０によって構成されるようになっている。つまり、第２情報保持部２２の２つの突起の両方が突出している場合、および第２情報保持部２２の２つの突起のうち片方の突起のみが突出している場合のいずれの場合でも第２情報保持部２２が第２位置にある（第２識別情報ＩＤ２）と認識し、第２情報保持部２２の突起が２つとも没入している状態の場合のみ、第２情報保持部２２が第１位置にある（第１識別情報ＩＤ１）と認識するようにしている。このようにすることにより、例えば操作部２４の操作が不十分であり、第２情報保持部２２の２個の突起２０のうち一方の突起２０の情報領域２３における突出が不足している場合にも、第２識別情報ＩＤ２を適切に読み取ることが可能となる。
【００４２】
以上説明したとおり、第２情報保持部２２の移動に応じて情報保持媒体２Ａの識別情報を変化させることができる。情報読取装置３Ａは、情報保持媒体２Ａの識別情報を読み取り、読み取った識別情報に対応して動作し、一つの情報保持媒体２Ａによって情報読取装置３Ａの動作を多様化できる。
【００４３】
また、情報読取装置３Ａは、識別情報を構成する第１情報保持部２１及び第２情報保持部２２それぞれの突起２０を共通の検出部３１によって検出するので、情報読取装置３Ａの構成を簡潔にできる。
【００４４】
また、本実施形態において情報保持媒体２Ａ及び情報読取装置３Ａは玩具であり、情報保持媒体２の外観形状の変化に応じて情報保持媒体２Ａの識別情報が変化し、情報保持媒体２Ａの外観形状に応じて情報読取装置３Ａから出力される演出が変化するので、玩具としての興趣性を高めることができる。
【００４５】
なお、本実施形態では第２情報保持部２２が２個の突起２０を有しており、好ましくは、第２識別情報ＩＤ２は、第１情報保持部２１の突起２０と、第２情報保持部２２の一つ以上の突起２０によって構成される。例えば操作部２４の操作が不十分であり、第２情報保持部２２の２個の突起２０のうち一方の突起２０の情報領域２３における突出が不足している場合にも、第２識別情報ＩＤ２を適切に読み取ることが可能となる。このように第２識別情報ＩＤ２の読み取りの誤作動を防ぐため、第２情報保持部２２の突起２０は、２つ以上設けることが好ましい。
【００４６】
図５及び図６は、情報保持媒体２の他の例を示す。
【００４７】
図５及び図６に示す情報保持媒体２Ｂは、識別情報を構成する少なくとも一つの要素４０を有する第１情報保持部４１と、識別情報を構成する少なくとも一つの要素４０を有する第２情報保持部４２とを備える。本例では、識別情報を構成する要素４０は、情報保持媒体２Ｂの媒体表面に設定された情報領域４３に配置される突起である。
【００４８】
第１情報保持部４１は、第１情報保持部４１の突起４０は情報領域４３に突出した状態で固定されている。一方、第２情報保持部４２は、回動軸Ａまわりの回動によって第１位置と第２位置との間で移動可能であり、図５に示すように、第２情報保持部４２が、情報領域４３から外れた第１位置に配置されている状態では、第２情報保持部４２の突起４０は情報領域４３から外れて配置され、図６に示すように、第２情報保持部２２が、情報領域４３上の第２位置に配置されている状態では、第２情報保持部４２の突起４０は情報領域４３に突出した状態に配置される。
【００４９】
第２情報保持部４２が第１位置に配置されている状態で、情報領域４３には、第１情報保持部４１の突起４０のみが突出し、第１情報保持部４１の突起４０によって第１識別情報ＩＤ１が構成される。一方、第２情報保持部４２が第２位置に配置されている状態で、情報領域４３には、第１情報保持部４１の突起４０に加えて第２情報保持部４２の突起４０も突出し、第１情報保持部４１の突起４０と第２情報保持部４２の突起４０とによって第２識別情報ＩＤ２が構成される。
【００５０】
情報保持媒体２Ｂは、第２情報保持部４２の操作に応じて外観形状が変化する玩具であり、第２情報保持部４２は、その操作に応じて第１位置と第２位置との間で移動される。すなわち、情報保持媒体２Ｂの外観形状の変化に応じて情報保持媒体２Ｂの識別情報が変化する。本実施形態において、図５に示す状態（第２情報保持部４２が第１位置にある場合）では、情報保持媒体２Ｂは水の精霊を表す外観形状を呈し、図６に示す状態（第２情報保持部４２が第２位置にある場合）では、情報保持媒体２Ｂは火の精霊を表す外観形状呈する。
【００５１】
図７は、情報読取装置３の一例を示す。
【００５２】
図７に示す情報読取装置３Ｂは、図５及び図６に示した情報保持媒体２Ｂの識別情報を読み取るものである。情報読取装置３Ｂは、情報保持媒体２Ｂが装着される装着部５０を有し、読取部１０は装着部５０に設けられている。情報保持媒体２Ｂは、装着部５０に対し、情報領域４３における突起４０の突出方向に嵌め込まれて装着部５０に装着される。
【００５３】
読取部１０は、情報保持媒体２Ｂの第１情報保持部４１の突起４０を検出する第１検出部５１と、第２情報保持部４２の突起４０を検出する第２検出部５２とを有し、第１検出部５１及び第２検出部５２は、情報保持媒体２Ｂの情報領域４３に突出している突起４０によって押し下げ可能なスイッチ５３をそれぞれ含む。
【００５４】
情報保持媒体２Ｂが装着部５０に装着された際に、情報領域４３に突出している突起４０はスイッチ５３によって検出され、情報領域４３に突出している突起４０の配列パターンに基づいて識別情報が読み取られる。
【００５５】
図５に示した状態、すなわち第２情報保持部４２が第１位置にあり、第２情報保持部４２の突起４０が情報領域４３から外れて配置されている状態で、情報保持媒体２Ｂが装着部５０に装着された場合に、第２情報保持部４２の突起４０は第２検出部５２のスイッチ５３によって検出されず、第１情報保持部４１の突起４０のみ第１検出部５１のスイッチ５３によって検出される。これにより、第１情報保持部４１の突起４０によって構成される第１識別情報ＩＤ１が読み取られる。本実施形態において、第２情報保持部４２が第１位置にある場合、情報保持媒体２Ｂは水の精霊を表す外観形状を呈しており、情報読取装置３Ｂの演出部から水の精霊に関連した演出（例えば、水の精霊を模した音声や関連する発光演出等）を出力することができる。このように情報保持媒体２Ｂの外観形状と演出部からの演出内容を連動させることにより、より玩具としての興趣性を高めることができる。
【００５６】
一方、図６に示した状態、すなわち第２情報保持部４２が第２位置にあり、第２情報保持部４２の突起４０が情報領域４３に突出して配置されている状態で、情報保持媒体２Ｂが装着部５０に装着された場合には、第１情報保持部４１の突起４０は第１検出部５１のスイッチ５３によって検出され且つ第２情報保持部４２の突起４０は第２検出部５２のスイッチ５３によって検出される。これにより、第１情報保持部４１の突起４０と第２情報保持部４２の突起４０とによって構成される第２識別情報ＩＤ２が読み取られる。本実施形態において、第２情報保持部４２が第２位置にある場合、情報保持媒体２Ｂは火の精霊表す外観形状を呈しており、情報読取装置３Ｂの演出部から火の精霊に関連した演出（例えば、火の精霊を模した音声や関連する発光演出等）を出力することができる。このように情報保持媒体２Ｂの外観形状と演出部からの演出内容を連動させることにより、より玩具としての興趣性を高めることができる。
【００５７】
以上説明したとおり、第２情報保持部４２の移動に応じて情報保持媒体２Ｂの識別情報を変化させることができる。情報読取装置３Ｂは、情報保持媒体２Ｂの識別情報を読み取り、読み取った識別情報に対応して動作し、一つの情報保持媒体２Ｂによっても情報読取装置３Ｂの動作を多様化できる。
【００５８】
なお、上記実施形態の構成に限定されることなく、様々な変形例をとることが可能である、例えば、第２実施形態では、第２情報保持部４２の突起４０は一つの場合を説明しているが、第１実施形態と同様に２以上設けることも可能である。
【符号の説明】
【００５９】
１  情報処理システム
２，２Ａ，２Ｂ  情報保持媒体
３，３Ａ，３Ｂ  情報読取装置
１０  読取部
１１  動作部
１２  制御部
１３  演出部
１４  記憶媒体
１５  プロセッサ
２０  突起（要素）
２１  第１情報保持部
２２  第２情報保持部
２３  情報領域
２４  操作部
３０  装着部
３１  検出部
３２  スイッチ
４０  突起（要素）
４１  第１情報保持部
４２  第２情報保持部
４３  情報領域
５０  装着部
５１  第１検出部
５２  第２検出部
５３  スイッチ
Ａ  回動軸
ＩＤ１  第１識別情報
ＩＤ２  第２識別情報
【図１】
2019097917.tif 000003
【図２】
2019097917.tif 000004
【図３】
2019097917.tif 000005
【図４】
2019097917.tif 000006
【図５】
2019097917.tif 000007
【図６】
2019097917.tif 000008
【図７】
2019097917.tif 000009
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
識別情報を保持した情報保持媒体であって、
識別情報を構成する少なくとも一つの要素を有する第１情報保持部と、
識別情報を構成する少なくとも一つの要素を有し、第１位置と第２位置との間で移動可能な第２情報保持部と、
を備え、
前記第２情報保持部が前記第１位置に配置されている状態で、前記第１情報保持部の前記要素によって第１識別情報が構成され、
前記第２情報保持部が前記第２位置に配置されている状態で、前記第１情報保持部の前記要素と前記第２情報保持部の前記要素とによって第２識別情報が構成される
情報保持媒体。
【請求項２】
請求項１において、
前記第１情報保持部の前記要素と前記第２情報保持部の前記要素は、媒体表面の情報領域に配置される突起であり、
前記第２情報保持部と前記第２情報保持部の前記要素とは、前記第２情報保持部が前記第１位置に配置されている状態では前記媒体表面の前記情報領域から外れて配置され、前記第２情報保持部が前記第２位置に配置されている状態では前記媒体表面の前記情報領域に配置される情報保持媒体。
【請求項３】
請求項２において、
前記第２情報保持部の移動に応じて外観形状が変化する情報保持媒体。
【請求項４】
請求項１において、
前記第１情報保持部の前記要素と前記第２情報保持部の前記要素は、媒体表面の情報領域に配置される突起であり、
前記第２情報保持部の前記要素は、前記第２情報保持部が前記第１位置に配置されている状態では前記媒体表面の前記情報領域に没入し、前記第２情報保持部が前記第２位置に配置されている状態では前記媒体表面の前記情報領域に突出する情報保持媒体。
【請求項５】
請求項１または請求項４において、
前記第２情報保持部は、複数の前記要素を有し、
前記第２識別情報は、前記第１情報保持部の前記要素と、前記第２情報保持部の一つ以上の前記要素によって構成される情報保持媒体。
【請求項６】
請求項４において、
前記情報保持媒体は操作部を備え、
前記第２情報保持部は、前記操作部の操作に応じて、前記第１位置と前記第２位置との間で移動される情報保持媒体。
【請求項７】
請求項６において、
前記操作部の操作に応じて外観形状が変化する情報保持媒体。
【請求項８】
請求項１から７のいずれか一項記載の前記情報保持媒体と、
前記情報保持媒体が保持する識別情報を読み取る情報読取装置と、
を備え、
前記情報読取装置は、
前記情報保持媒体が保持する識別情報を読み取る読取部と、
動作部と、
前記読取部によって読み取られた識別情報に基づいて前記動作部を動作させる制御部と、
を有する情報処理システム。
【請求項９】
請求項８において、
前記読取部は、前記情報保持媒体の前記第１情報保持部の前記要素を検出する第１検出部と、前記情報保持媒体の前記第２情報保持部の前記要素を検出する第２検出部とを有する情報処理システム。
【請求項１０】
請求項８において、
前記読取部は、前記情報保持媒体の前記第１情報保持部の前記要素と、前記情報保持媒体の前記第２情報保持部の前記要素と、の両方を検出する検出部を有する情報処理システム。
【請求項１１】
請求項１０において、
前記読取部は、前記情報保持媒体が装着される装着部を有し、
前記情報保持媒体の前記第１情報保持部の前記要素と、前記第２情報保持部の前記要素とは、少なくとも前記情報保持媒体の前記装着部に対する装着方向に配列されており、前記情報保持媒体が前記装着部に装着される際に前記検出部を順次通過する情報処理システム。
【請求項１２】
請求項８から１１のいずれか一項において、
前記情報読取装置は、光及び／又は音を用いた演出を出力する演出部を前記動作部に含む玩具である情報処理システム。
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
識別情報を保持した情報保持媒体であって、
識別情報を構成する少なくとも一つの要素を有する第１情報保持部と、
識別情報を構成する少なくとも一つの要素を有し、第１位置と第２位置との間で移動可能な第２情報保持部と、
を備え、
前記第２情報保持部が前記第１位置に配置されている状態で、前記第１情報保持部の前記要素によって第１識別情報が構成され、
前記第２情報保持部が前記第２位置に配置されている状態で、前記第１情報保持部の前記要素と前記第２情報保持部の前記要素とによって第２識別情報が構成され、
前記第２情報保持部が前記第１位置に配置されている状態で、第１の外観形状を成し、
前記第２情報保持部が前記第２位置に配置されている状態で、前記第１の外観形状とは異なる第２の外観形状を成す
情報保持媒体。
【請求項２】
請求項１において、
前記第１識別情報は、前記第１の外観形状に関連する情報であり、
前記第２識別情報は、前記第２の外観形状に関連する情報である情報保持媒体。
【請求項３】
請求項１において、
前記第１情報保持部の前記要素と前記第２情報保持部の前記要素は、媒体表面の情報領域に配置される突起であり、
前記第２情報保持部は回動によって前記第１位置と前記第２位置との間で移動可能であり、
前記第２情報保持部が前記第１位置に配置されている状態では、前記第２情報保持部の前記要素は前記媒体表面から離間するように配置され、
前記第２情報保持部が前記第２位置に配置されている状態では、前記第２情報保持部の前記要素は前記媒体表面に突出した状態に配置される情報保持媒体。
【請求項４】
請求項１において、
前記第１情報保持部の前記要素と前記第２情報保持部の前記要素は、媒体表面の情報領域に配置される突起であり、
前記第２情報保持部の前記要素は、前記第２情報保持部が前記第１位置に配置されている状態では前記媒体表面の前記情報領域に没入し、前記第２情報保持部が前記第２位置に配置されている状態では前記媒体表面の前記情報領域に突出する情報保持媒体。
【請求項５】
請求項１または請求項４において、
前記第２情報保持部は、複数の前記要素を有し、
前記第２識別情報は、前記第１情報保持部の前記要素と、前記第２情報保持部の一つ以上の前記要素によって構成される情報保持媒体。
【請求項６】
請求項４において、
前記情報保持媒体は操作部を備え、
前記第２情報保持部は、前記操作部の操作に応じて、前記第１位置と前記第２位置との間で移動される情報保持媒体。
【請求項７】
請求項６において、
前記操作部の操作に応じて、前記第１の外観形状から前記第２の外観形状に変化可能である情報保持媒体。
【請求項８】
請求項１から７のいずれか一項記載の前記情報保持媒体と、
前記情報保持媒体が保持する識別情報を読み取る情報読取装置と、
を備え、
前記情報読取装置は、
前記情報保持媒体が保持する識別情報を読み取る読取部と、
動作部と、
前記読取部によって読み取られた識別情報に基づいて前記動作部を動作させる制御部と、
を有する情報処理システム。
【請求項９】
請求項８において、
前記読取部は、前記情報保持媒体の前記第１情報保持部の前記要素を検出する第１検出部と、前記情報保持媒体の前記第２情報保持部の前記要素を検出する第２検出部とを有する情報処理システム。
【請求項１０】
請求項８において、
前記読取部は、前記情報保持媒体の前記第１情報保持部の前記要素と、前記情報保持媒体の前記第２情報保持部の前記要素と、の両方を検出する検出部を有する情報処理システム。
【請求項１１】
請求項１０において、
前記読取部は、前記情報保持媒体が装着される装着部を有し、
前記情報保持媒体の前記第１情報保持部の前記要素と、前記第２情報保持部の前記要素とは、少なくとも前記情報保持媒体の前記装着部に対する装着方向に配列されており、前記情報保持媒体が前記装着部に装着される際に前記検出部を順次通過する情報処理システム。
【請求項１２】
請求項８から１１のいずれか一項において、
前記情報読取装置は、光及び／又は音を用いた演出を出力する演出部を前記動作部に含む玩具である情報処理システム。
【手続補正２】
【補正対象書類名】明細書
【補正対象項目名】０００８
【補正方法】変更
【補正の内容】
【０００８】
本発明に係る情報保持媒体は、識別情報を保持した情報保持媒体であって、識別情報を構成する少なくとも一つの要素を有する第１情報保持部と、識別情報を構成する少なくとも一つの要素を有し、第１位置と第２位置との間で移動可能な第２情報保持部と、を備え、前記第２情報保持部が前記第１位置に配置されている状態で、前記第１情報保持部の前記要素によって第１識別情報が構成され、前記第２情報保持部が前記第２位置に配置されている状態で、前記第１情報保持部の前記要素と前記第２情報保持部の前記要素とによって第２識別情報が構成される。また、本発明に係る情報保持媒体は、識別情報を保持した情報保持媒体であって、識別情報を構成する少なくとも一つの要素を有する第１情報保持部と、識別情報を構成する少なくとも一つの要素を有し、第１位置と第２位置との間で移動可能な第２情報保持部と、を備え、前記第２情報保持部が前記第１位置に配置されている状態で、前記第１情報保持部の前記要素によって第１識別情報が構成され、前記第２情報保持部が前記第２位置に配置されている状態で、前記第１情報保持部の前記要素と前記第２情報保持部の前記要素とによって第２識別情報が構成され、前記第２情報保持部が前記第１位置に配置されている状態で、第１の外観形状を成し、前記第２情報保持部が前記第２位置に配置されている状態で、前記第１の外観形状とは異なる第２の外観形状を成す。